(57)【特許請求の範囲】
【請求項１】
光伝送路の一端及び他端のそれぞれに設置されている一端局及び他端局に配置され前記光伝送路に試験光を挿入し当該挿入した試験光の後方散乱光を測定する測定機器を用い、前記光伝送路を管理する光伝送路管理システムにおいて、
前記光伝送路は前記一端側から第１の区間及び第２の区間によって構成されており、
前記一端局に設置されている第１の測定機器に対しては、前記光伝送路の第１の区間の長さに対応した条件の試験光を、前記他端局に設置されている第２の測定機器に対しては、前記光伝送路の第２の区間の長さに対応した条件の試験光を、それぞれ挿入して測定するように測定指示を送信する測定指示送信手段と、
当該送信された測定指示に基づいて、前記第１の測定機器及び前記第２の測定機器が測定した後方散乱光に基づくデータを受信する測定結果受信手段と、
当該受信したデータに基づいて、前記光伝送路に障害が発生しているか否かを判断する障害判断手段と、
を備える光伝送路管理システム。
【請求項２】
前記光伝送路は複数の光ファイバを含んで構成され、前記第１の測定機器及び前記第２の測定機器は、当該複数の光ファイバのそれぞれに対して選択的に試験光を挿入するものであって、
前記測定指示送信手段は前記第２の測定機器に対し、前記第１の測定機器から試験光が挿入されていない場合に、当該光ファイバに対して試験光を挿入するように測定指示を送信する、請求項１に記載の光伝送路管理システム。
【請求項３】
前記光伝送路は複数の光ファイバを含んで構成され、前記第１の測定機器及び前記第２の測定機器は、当該複数の光ファイバのそれぞれに対して選択的に試験光を挿入するものであって、
前記測定指示送信手段は前記第２の測定機器に対し、前記第１の測定機器から試験光が挿入されている場合には、前記光伝送路を構成する光ファイバの内、当該試験光が挿入されている一の光ファイバ以外の他の光ファイバに対して試験光を挿入するように測定指示を送信する、請求項１に記載の光伝送路管理システム。
【請求項４】
前記光伝送路は複数の光ファイバを含んで構成され、前記第１の測定機器及び前記第２の測定機器は、当該複数の光ファイバのそれぞれに対して選択的に試験光を挿入するものであって、
前記測定指示送信手段が前記第１の測定機器及び前記第２の測定機器に対して送信するそれぞれの測定指示には、予め優先順位が定められており、
前記測定指示送信手段は前記第１の測定機器又は前記第２の測定機器に対し、前記光ファイバを挟んでそれぞれの反対側に設置されている前記第１の測定機器又は前記第２の測定機器から試験光が挿入されている場合には、前記優先順位に従って前記光ファイバに対して試験光を挿入するように測定指示を送信する、請求項１に記載の光伝送路管理システム。
【請求項５】
光伝送路の一端及び他端のそれぞれに設置されている第１端局及び第２端局、並びに、当該第２端局にその一端が接続される他の光伝送路の他端に配置される第３端局のそれぞれに配置され前記光伝送路及び前記他の光伝送路に試験光を挿入し当該挿入した試験光の後方散乱光を測定する測定機器を用い、前記光伝送路及び前記他の光伝送路を管理する光伝送路管理システムにおいて、
前記光伝送路は前記一端側から第１の区間及び第２の区間によって構成されており、前記他の光伝送路は前記一端側から第３の区間及び第４の区間によって構成されており、
前記第１端局に設置されている第１の測定機器に対しては、前記光伝送路の第１の区間の長さに対応した条件の試験光を前記光伝送路に挿入して測定するように測定指示を、前記第３端局に設置されている第３の測定機器に対しては、前記他の光伝送路の第４の区間の長さに対応した条件の試験光を前記他の光伝送路に挿入して測定するように測定指示を、前記第２端局に設置されている第２の測定機器に対しては、前記第１の測定機器が試験光を挿入していない場合には前記光伝送路の第２の区間の長さに対応した条件の試験光を前記光伝送路に、前記第３の測定機器が試験光を挿入していない場合には前記他の光伝送路の第３の区間の長さに対応した条件の試験光を前記他の光伝送路にそれぞれ挿入して測定するように測定指示を、それぞれ送信する測定指示送信手段と、
当該送信された測定指示に基づいて、前記第１の測定機器及び前記第２の測定機器が測定した後方散乱光に基づくデータを受信する測定結果受信手段と、
当該受信したデータに基づいて、前記光伝送路及び前記他の光伝送路に障害が発生しているか否かを判断する障害判断手段と、
を備える光伝送路管理システム。
【請求項６】
光伝送路の一端及び他端のそれぞれに設置されている一端局及び他端局に配置され前記光伝送路に試験光を挿入し当該挿入した試験光の後方散乱光を測定する測定機器を用い、前記光伝送路を管理する光伝送路管理方法において、
前記光伝送路は前記一端側から第１の区間及び第２の区間によって構成されており、
前記一端局に設置されている第１の測定機器に対しては、前記光伝送路の第１の区間の長さに対応した条件の試験光を、前記他端局に設置されている第２の測定機器に対しては、前記光伝送路の第２の区間の長さに対応した条件の試験光を、それぞれ挿入して測定するように測定指示を送信する測定指示送信ステップと、
当該送信された測定指示に基づいて、前記第１の測定機器及び前記第２の測定機器が測定した後方散乱光に基づくデータを受信する測定結果受信ステップと、当該受信したデータに基づいて、前記光伝送路に障害が発生しているか否かを判断する障害判断ステップと、
を備える光伝送路管理方法。
【請求項７】
前記光伝送路は複数の光ファイバを含んで構成され、前記第１の測定機器及び前記第２の測定機器は、当該複数の光ファイバのそれぞれに対して選択的に試験光を挿入するものであって、
前記測定指示送信ステップにおいて、前記第２の測定機器に対し、前記第１の測定機器から試験光が挿入されていない場合に、当該光ファイバに対して試験光を挿入するように測定指示を送信する、請求項６に記載の光伝送路管理方法。
【請求項８】
前記光伝送路は複数の光ファイバを含んで構成され、前記第１の測定機器及び前記第２の測定機器は、当該複数の光ファイバのそれぞれに対して選択的に試験光を挿入するものであって、
前記測定指示送信ステップにおいて、前記第２の測定機器に対し、前記第１の測定機器から試験光が挿入されている場合には、前記光伝送路を構成する光ファイバの内、当該試験光が挿入されている一の光ファイバ以外の他の光ファイバに対して試験光を挿入するように測定指示を送信する、請求項６に記載の光伝送路管理方法。
【請求項９】
前記光伝送路は複数の光ファイバを含んで構成され、前記第１の測定機器及び前記第２の測定機器は、当該複数の光ファイバのそれぞれに対して選択的に試験光を挿入するものであって、
前記第１の測定機器及び前記第２の測定機器に対して送信するそれぞれの測定指示には、予め優先順位が定められており、
前記測定指示送信ステップにおいて、前記第１の測定機器又は前記第２の測定機器に対し、前記光ファイバを挟んでそれぞれの反対側に設置されている前記第１の測定機器又は前記第２の測定機器から試験光が挿入されている場合には、前記優先順位に従って前記光ファイバに対して試験光を挿入するように測定指示を送信する、請求項６に記載の光伝送路管理方法。
【請求項１０】
光伝送路の一端及び他端のそれぞれに設置されている第１端局及び第２端局、並びに、当該第２端局にその一端が接続される他の光伝送路の他端に配置される第３端局のそれぞれに配置され前記光伝送路及び前記他の光伝送路に試験光を挿入し当該挿入した試験光の後方散乱光を測定する測定機器を用い、前記光伝送路及び前記他の光伝送路を管理する光伝送路管理方法において、
前記光伝送路は前記一端側から第１の区間及び第２の区間によって構成されており、前記他の光伝送路は前記一端側から第３の区間及び第４の区間によって構成されており、
前記第１端局に設置されている第１の測定機器に対しては、前記光伝送路の第１の区間の長さに対応した条件の試験光を前記光伝送路に挿入して測定するように測定指示を、前記第３端局に設置されている第３の測定機器に対しては、前記他の光伝送路の第４の区間の長さに対応した条件の試験光を前記他の光伝送路に挿入して測定するように測定指示を、前記第２端局に設置されている第２の測定機器に対しては、前記第１の測定機器が試験光を挿入していない場合には前記光伝送路の第２の区間の長さに対応した条件の試験光を前記光伝送路に、前記第３の測定機器が試験光を挿入していない場合には前記他の光伝送路の第３の区間の長さに対応した条件の試験光を前記他の光伝送路にそれぞれ挿入して測定するように測定指示を、それぞれ送信する測定指示送信ステップと、
当該送信された測定指示に基づいて、前記第１の測定機器及び前記第２の測定機器が測定した後方散乱光に基づくデータを受信する測定結果受信ステップと、当該受信したデータに基づいて、前記光伝送路及び前記他の光伝送路に障害が発生しているか否かを判断する障害判断ステップと、
を備える光伝送路管理方法。
【請求項１１】
光伝送路の一端及び他端のそれぞれに設置されている一端局及び他端局に配置され前記光伝送路に試験光を挿入し当該挿入した試験光の後方散乱光を測定する測定機器を用い、前記光伝送路を管理する光伝送路管理プログラムにおいて、
前記光伝送路は前記一端側から第１の区間及び第２の区間によって構成されており、
コンピュータを、
前記一端局に設置されている第１の測定機器に対しては、前記光伝送路の第１の区間の長さに対応した条件の試験光を、前記他端局に設置されている第２の測定機器に対しては、前記光伝送路の第２の区間の長さに対応した条件の試験光を、それぞれ挿入して測定するように測定指示を送信する測定指示送信手段と、
当該送信された測定指示に基づいて、前記第１の測定機器及び前記第２の測定機器が測定した後方散乱光に基づくデータを受信する測定結果受信手段と、
当該受信したデータに基づいて、前記光伝送路に障害が発生しているか否かを判断する障害判断手段と、
して機能させるための光伝送路管理プログラム。
【請求項１２】
前記光伝送路は複数の光ファイバを含んで構成され、前記第１の測定機器及び前記第２の測定機器は、当該複数の光ファイバのそれぞれに対して選択的に試験光を挿入するものであって、
前記測定指示送信手段は前記第２の測定機器に対し、前記第１の測定機器から試験光が挿入されていない場合に、当該光ファイバに対して試験光を挿入するように測定指示を送信する、請求項１１に記載の光伝送路管理プログラム。
【請求項１３】
前記光伝送路は複数の光ファイバを含んで構成され、前記第１の測定機器及び前記第２の測定機器は、当該複数の光ファイバのそれぞれに対して選択的に試験光を挿入するものであって、
前記測定指示送信手段は前記第２の測定機器に対し、前記第１の測定機器から試験光が挿入されている場合には、前記光伝送路を構成する光ファイバの内、当該試験光が挿入されている一の光ファイバ以外の他の光ファイバに対して試験光を挿入するように測定指示を送信する、請求項１１に記載の光伝送路管理プログラム。
【請求項１４】
前記光伝送路は複数の光ファイバを含んで構成され、前記第１の測定機器及び前記第２の測定機器は、当該複数の光ファイバのそれぞれに対して選択的に試験光を挿入するものであって、
前記測定指示送信手段が前記第１の測定機器及び前記第２の測定機器に対して送信するそれぞれの測定指示には、予め優先順位が定められており、
前記測定指示送信手段は前記第１の測定機器又は前記第２の測定機器に対し、前記光ファイバを挟んでそれぞれの反対側に設置されている前記第１の測定機器又は前記第２の測定機器から試験光が挿入されている場合には、前記優先順位に従って前記光ファイバに対して試験光を挿入するように測定指示を送信する、請求項１１に記載の光伝送路管理プログラム。
【請求項１５】
光伝送路の一端及び他端のそれぞれに設置されている第１端局及び第２端局、並びに、当該第２端局にその一端が接続される他の光伝送路の他端に配置される第３端局のそれぞれに配置され前記光伝送路及び前記他の光伝送路に試験光を挿入し当該挿入した試験光の後方散乱光を測定する測定機器を用い、前記光伝送路及び前記他の光伝送路を管理する光伝送路管理システムにおいて、
前記光伝送路は前記一端側から第１の区間及び第２の区間によって構成されており、前記他の光伝送路は前記一端側から第３の区間及び第４の区間によって構成されており、
コンピュータを、
前記第１端局に設置されている第１の測定機器に対しては、前記光伝送路の第１の区間の長さに対応した条件の試験光を前記光伝送路に挿入して測定するように測定指示を、前記第３端局に設置されている第３の測定機器に対しては、前記他の光伝送路の第４の区間の長さに対応した条件の試験光を前記他の光伝送路に挿入して測定するように測定指示を、前記第２端局に設置されている第２の測定機器に対しては、前記第１の測定機器が試験光を挿入していない場合には前記光伝送路の第２の区間の長さに対応した条件の試験光を前記光伝送路に、前記第３の測定機器が試験光を挿入していない場合には前記他の光伝送路の第３の区間の長さに対応した条件の試験光を前記他の光伝送路にそれぞれ挿入して測定するように測定指示を、それぞれ送信する測定指示送信手段と、
当該送信された測定指示に基づいて、前記第１の測定機器及び前記第２の測定機器が測定した後方散乱光に基づくデータを受信する測定結果受信手段と、
当該受信したデータに基づいて、前記光伝送路及び前記他の光伝送路に障害が発生しているか否かを判断する障害判断手段と、
して機能させるための光伝送路管理プログラム。
【発明の詳細な説明】
【０００１】
【発明の属する技術分野】
本発明は、光伝送路管理システム、光伝送路管理方法、光伝送路管理プログラム、及び、コンピュータ読取可能な記録媒体に関するものである。
【０００２】
【従来の技術】
光伝送路の障害等を計測する手法として、光伝送路を構成する光ファイバに試験光を挿入し、その後方散乱光を測定するＯＴＤＲ（Ｏｐｔｉｃａｌ  ＴｉｍｅＤｏｍａｉｎ  Ｒｅｆｌｅｃｔｏｍｅｔｅｒ）を用いるものがある。この場合、長距離の光伝送路の障害を計測するためには、試験光の測定パルス幅及び測定距離レンジを広げなければならない。
【０００３】
【発明が解決しようとする課題】
試験光の測定パルス幅及び測定距離レンジを広げれば、空間分解能及びサンプリング分解能が低下するといった解決すべき技術的課題がある。
【０００４】
そこで本発明では、光伝送路の障害を計測する場合に、空間分解能及びサンプリング分解能の低下といった計測の精度を低下させる要因を極力排除することのできる、光伝送路管理システム、光伝送路管理方法、光伝送路管理プログラムを提供することを課題とする。
【０００５】
【課題を解決するための手段】
本発明の光伝送路管理システムは、光伝送路の一端及び他端のそれぞれに設置されている一端局及び他端局に配置され光伝送路に試験光を挿入し当該挿入した試験光の後方散乱光を測定する測定機器を用い、光伝送路を管理するものであって、光伝送路は一端側から第１の区間及び第２の区間によって構成されており、一端局に設置されている第１の測定機器に対しては、光伝送路の第１の区間の長さに対応した条件の試験光を、他端局に設置されている第２の測定機器に対しては、光伝送路の第２の区間の長さに対応した条件の試験光を、それぞれ挿入して測定するように測定指示を送信する測定指示送信手段と、当該送信された測定指示に基づいて、第１の測定機器及び第２の測定機器が測定した後方散乱光に基づくデータを受信する測定結果受信手段と、当該受信したデータに基づいて、光伝送路に障害が発生しているか否かを判断する障害判断手段と、を備える。
【０００６】
本発明の光伝送路管理方法は、光伝送路の一端及び他端のそれぞれに設置されている一端局及び他端局に配置され光伝送路に試験光を挿入し当該挿入した試験光の後方散乱光を測定する測定機器を用い、光伝送路を管理するものであって、光伝送路は一端側から第１の区間及び第２の区間によって構成されており、一端局に設置されている第１の測定機器に対しては、光伝送路の第１の区間の長さに対応した条件の試験光を、他端局に設置されている第２の測定機器に対しては、光伝送路の第２の区間の長さに対応した条件の試験光を、それぞれ挿入して測定するように測定指示を送信する測定指示送信ステップと、当該送信された測定指示に基づいて、第１の測定機器及び第２の測定機器が測定した後方散乱光に基づくデータを受信する測定結果受信ステップと、当該受信したデータに基づいて、光伝送路に障害が発生しているか否かを判断する障害判断ステップと、を備える。
【０００７】
本発明の光伝送路管理プログラムは、光伝送路の一端及び他端のそれぞれに設置されている一端局及び他端局に配置され光伝送路に試験光を挿入し当該挿入した試験光の後方散乱光を測定する測定機器を用い、光伝送路を管理するものであって、光伝送路は一端側から第１の区間及び第２の区間によって構成されており、コンピュータを、一端局に設置されている第１の測定機器に対しては、光伝送路の第１の区間の長さに対応した条件の試験光を、他端局に設置されている第２の測定機器に対しては、光伝送路の第２の区間の長さに対応した条件の試験光を、それぞれ挿入して測定するように測定指示を送信する測定指示送信手段と、当該送信された測定指示に基づいて、第１の測定機器及び第２の測定機器が測定した後方散乱光に基づくデータを受信する測定結果受信手段と、当該受信したデータに基づいて、光伝送路に障害が発生しているか否かを判断する障害判断手段と、して機能させる。
【０００８】
本発明によれば、光伝送路を２つの区間に区分したそれぞれの長さに対応した条件の試験光を挿入して測定するように測定指示を送信するので、測定指示を受信する測定機器は、光伝送路のそれぞれの区間の長さに対応した条件の試験光を挿入し、当該光伝送路の状態を測定できる。この測定指示に基づいて測定された光伝送路の後方散乱光に基づくデータを受信し、当該受信したデータに基づいて光伝送路に障害が発生しているか否かを判断するので、光伝送路のそれぞれの区間の長さに対応した条件で当該光伝送路に障害が発生しているか否かを判断できる。光伝送路のそれぞれの区間の長さに対応した条件で、光伝送路の後方散乱光を測定し、当該測定された後方散乱光に基づくデータを用いて光伝送路に障害が発生しているか否かを判断できるので、例えば、光伝送路の全長に対応した条件で測定する場合と比較して空間分解能及びサンプリング分解能の低下を極力回避できる。
【０００９】
また本発明の光伝送路管理システムにおいて、光伝送路は複数の光ファイバを含んで構成され、第１の測定機器及び第２の測定機器は、当該複数の光ファイバのそれぞれに対して選択的に試験光を挿入するものであって、測定指示送信手段は第２の測定機器に対し、第１の測定機器から試験光が挿入されていない場合に、当該光ファイバに対して試験光を挿入するように測定指示を送信するようにしてもよい。
【００１０】
また本発明の光伝送路管理方法において、光伝送路は複数の光ファイバを含んで構成され、第１の測定機器及び第２の測定機器は、当該複数の光ファイバのそれぞれに対して選択的に試験光を挿入するものであって、測定指示送信ステップでは、第２の測定機器に対し、第１の測定機器から試験光が挿入されていない場合に、当該光ファイバに対して試験光を挿入するように測定指示を送信する。
【００１１】
また本発明の光伝送路管理プログラムにおいて、光伝送路は複数の光ファイバを含んで構成され、第１の測定機器及び第２の測定機器は、当該複数の光ファイバのそれぞれに対して選択的に試験光を挿入するものであって、測定指示手段は第２の測定機器に対し、第１の測定機器から試験光が挿入されていない場合に、当該光ファイバに対して試験光を挿入するように測定指示を送信する。
【００１２】
光伝送路を構成する光ファイバの両端から同時に試験光を挿入することが回避できるので、第１の測定機器及び第２の測定機器が測定する後方散乱光に基づくデータの精度が向上し、より正確に光伝送路の障害発生の有無を計測できる。
【００１３】
また本発明の光伝送路管理システムにおいて、光伝送路は複数の光ファイバを含んで構成され、第１の測定機器及び第２の測定機器は、当該複数の光ファイバのそれぞれに対して選択的に試験光を挿入するものであって、測定指示手段は第２の測定機器に対し、第１の測定機器から試験光が挿入されている場合には、光伝送路を構成する光ファイバの内、当該試験光が挿入されている一の光ファイバ以外の他の光ファイバに対して試験光を挿入するように測定指示を送信する。
【００１４】
また本発明の光伝送路管理方法において、光伝送路は複数の光ファイバを含んで構成され、第１の測定機器及び第２の測定機器は、当該複数の光ファイバのそれぞれに対して選択的に試験光を挿入するものであって、測定指示送信ステップでは、第２の測定機器に対し、第１の測定機器から試験光が挿入されている場合には、光伝送路を構成する光ファイバの内、当該試験光が挿入されている一の光ファイバ以外の他の光ファイバに対して試験光を挿入するように測定指示を送信する。
【００１５】
また本発明の光伝送路管理プログラムにおいて、光伝送路は複数の光ファイバを含んで構成され、第１の測定機器及び第２の測定機器は、当該複数の光ファイバのそれぞれに対して選択的に試験光を挿入するものであって、測定指示手段は第２の測定機器に対し、第１の測定機器から試験光が挿入されている場合には、光伝送路を構成する光ファイバの内、当該試験光が挿入されている一の光ファイバ以外の他の光ファイバに対して試験光を挿入するように測定指示を送信する。
【００１６】
光伝送路を構成する光ファイバの両端から同時に試験光を挿入することが回避できるので、第１の測定機器及び第２の測定機器が測定する後方散乱光に基づくデータの精度が向上すると共に、第１の測定機器及び第２の測定機器はそれぞれ異なる光ファイバを測定できるので、第１の測定機器及び第２の測定機器の稼動効率が上がる。
【００１７】
また本発明の光伝送路管理システムにおいて、光伝送路は複数の光ファイバを含んで構成され、第１の測定機器及び第２の測定機器は、当該複数の光ファイバのそれぞれに対して選択的に試験光を挿入するものであって、測定指示手段が第１の測定機器及び第２の測定機器に対して送信するそれぞれの測定指示には、予め優先順位が定められており、測定指示手段は第１の測定機器又は第２の測定機器に対し、光ファイバを挟んでそれぞれの反対側に設置されている第１の測定機器又は第２の測定機器から試験光が挿入されている場合には、優先順位に従って光ファイバに対して試験光を挿入するように測定指示を送信する。
【００１８】
また本発明の光伝送路管理方法において、光伝送路は複数の光ファイバを含んで構成され、第１の測定機器及び第２の測定機器は、当該複数の光ファイバのそれぞれに対して選択的に試験光を挿入するものであって、第１の測定機器及び第２の測定機器に対して送信するそれぞれの測定指示には、予め優先順位が定められており、測定指示送信ステップでは、第１の測定機器又は第２の測定機器に対し、光ファイバを挟んでそれぞれの反対側に設置されている第１の測定機器又は第２の測定機器から試験光が挿入されている場合には、優先順位に従って光ファイバに対して試験光を挿入するように測定指示を送信する。
【００１９】
また本発明の光伝送路管理プログラムにおいて、光伝送路は複数の光ファイバを含んで構成され、第１の測定機器及び第２の測定機器は、当該複数の光ファイバのそれぞれに対して選択的に試験光を挿入するものであって、測定指示手段が第１の測定機器及び第２の測定機器に対して送信するそれぞれの測定指示には、予め優先順位が定められており、測定指示手段は第１の測定機器又は第２の測定機器に対し、光ファイバを挟んでそれぞれの反対側に設置されている第１の測定機器又は第２の測定機器から試験光が挿入されている場合には、優先順位に従って光ファイバに対して試験光を挿入するように測定指示を送信する。
【００２０】
予め定められた優先順位に従って、第１の測定機器及び第２の測定機器が光ファイバに試験光を挿入するので、例えば、優先順位の高い測定指示を後から送信しても、光ファイバを挟んで反対側の測定機器の優先順位がより低ければ割り込むことができ、光伝送路を構成する光ファイバの両端から同時に試験光を挿入することを回避しつつ測定できる。従って、第１の測定機器及び第２の測定機器が測定する後方散乱光に基づくデータの精度が向上すると共に、第１の測定機器及び第２の測定機器の稼働率が向上する。
【００２１】
本発明の光伝送路管理システムは、光伝送路の一端及び他端のそれぞれに設置されている第１端局及び第２端局、並びに、当該第２端局にその一端が接続される他の光伝送路の他端に配置される第３端局のそれぞれに配置され光伝送路及び他の光伝送路に試験光を挿入し当該挿入した試験光の後方散乱光を測定する測定機器を用い、光伝送路及び他の光伝送路を管理するものであって、光伝送路は一端側から第１の区間及び第２の区間によって構成されており、他の光伝送路は一端側から第３の区間及び第４の区間によって構成されており、第１端局に設置されている第１の測定機器に対しては、光伝送路の第１の区間の長さに対応した条件の試験光を光伝送路に挿入して測定するように測定指示を、第３端局に設置されている第３の測定機器に対しては、他の光伝送路の第４の区間の長さに対応した条件の試験光を他の光伝送路に挿入して測定するように測定指示を、第２端局に設置されている第２の測定機器に対しては、第１の測定機器が試験光を挿入していない場合には光伝送路の第２の区間の長さに対応した条件の試験光を光伝送路に、第３の測定機器が試験光を挿入していない場合には他の光伝送路の第３の区間の長さに対応した条件の試験光を他の光伝送路にそれぞれ挿入して測定するように測定指示を、それぞれ送信する測定指示送信手段と、当該送信された測定指示に基づいて、第１の測定機器及び第２の測定機器が測定した後方散乱光に基づくデータを受信する測定結果受信手段と、当該受信したデータに基づいて、光伝送路及び他の光伝送路に障害が発生しているか否かを判断する障害判断手段と、を備える。
【００２２】
本発明の光伝送路管理方法は、光伝送路の一端及び他端のそれぞれに設置されている第１端局及び第２端局、並びに、当該第２端局にその一端が接続される他の光伝送路の他端に配置される第３端局のそれぞれに配置され光伝送路及び他の光伝送路に試験光を挿入し当該挿入した試験光の後方散乱光を測定する測定機器を用い、光伝送路及び他の光伝送路を管理するものであって、光伝送路は一端側から第１の区間及び第２の区間によって構成されており、他の光伝送路は一端側から第３の区間及び第４の区間によって構成されており、第１端局に設置されている第１の測定機器に対しては、光伝送路の第１の区間の長さに対応した条件の試験光を光伝送路に挿入して測定するように測定指示を、第３端局に設置されている第３の測定機器に対しては、他の光伝送路の第４の区間の長さに対応した条件の試験光を他の光伝送路に挿入して測定するように測定指示を、第２端局に設置されている第２の測定機器に対しては、第１の測定機器が試験光を挿入していない場合には光伝送路の第２の区間の長さに対応した条件の試験光を光伝送路に、第３の測定機器が試験光を挿入していない場合には他の光伝送路の第３の区間の長さに対応した条件の試験光を他の光伝送路にそれぞれ挿入して測定するように測定指示を、それぞれ送信する測定指示送信ステップと、当該送信された測定指示に基づいて、第１の測定機器及び第２の測定機器が測定した後方散乱光に基づくデータを受信する測定結果受信ステップと、当該受信したデータに基づいて、光伝送路及び他の光伝送路に障害が発生しているか否かを判断する障害判断ステップと、を備える。
【００２３】
本発明の光伝送路管理プログラムは、光伝送路の一端及び他端のそれぞれに設置されている第１端局及び第２端局、並びに、当該第２端局にその一端が接続される他の光伝送路の他端に配置される第３端局のそれぞれに配置され光伝送路及び他の光伝送路に試験光を挿入し当該挿入した試験光の後方散乱光を測定する測定機器を用い、光伝送路及び他の光伝送路を管理するものであって、光伝送路は一端側から第１の区間及び第２の区間によって構成されており、他の光伝送路は一端側から第３の区間及び第４の区間によって構成されており、コンピュータを、第１端局に設置されている第１の測定機器に対しては、光伝送路の第１の区間の長さに対応した条件の試験光を光伝送路に挿入して測定するように測定指示を、第３端局に設置されている第３の測定機器に対しては、他の光伝送路の第４の区間の長さに対応した条件の試験光を他の光伝送路に挿入して測定するように測定指示を、第２端局に設置されている第２の測定機器に対しては、第１の測定機器が試験光を挿入していない場合には光伝送路の第２の区間の長さに対応した条件の試験光を光伝送路に、第３の測定機器が試験光を挿入していない場合には他の光伝送路の第３の区間の長さに対応した条件の試験光を他の光伝送路にそれぞれ挿入して測定するように測定指示を、それぞれ送信する測定指示送信手段と、当該送信された測定指示に基づいて、第１の測定機器及び第２の測定機器が測定した後方散乱光に基づくデータを受信する測定結果受信手段と、当該受信したデータに基づいて、光伝送路及び他の光伝送路に障害が発生しているか否かを判断する障害判断手段と、して機能させる。
【００２４】
本発明によれば、光伝送路を２つの区間に区分したそれぞれの長さに対応した条件の試験光を挿入して測定するように測定指示を送信するので、測定指示を受信する測定機器は、光伝送路のそれぞれの区間の長さに対応した条件の試験光を挿入し、当該光伝送路の状態を測定できる。また、光伝送路を挟んで反対側の測定機器から試験光が挿入されている場合には、別の光伝送路の状態を測定できるので、測定効率が上がる。
【００２５】
【発明の実施の形態】
本発明の実施の形態を図面を参照しながら説明する。可能な場合には、同一の部分には同一の符号を付して重複する説明を省略する。
【００２６】
本発明の実施形態である光伝送路管理システム１０について図１を用いて説明する。図１は、光伝送路管理システム１０及び測定機器２０１、２１１、２２１を用いて光伝送路３０、３１、３２、３３を管理する構成を説明する図である。
【００２７】
光伝送路３０、３１、３２、３３は相互に接続されて一連の光伝送路を構成している。光伝送路３０及び光伝送路３１の間には試験局２０が、光伝送路３１及び光伝送路３２の間には試験局２１が、光伝送路３２及び光伝送路３３の間には試験局２２がそれぞれ設置されている。試験局２０、２１、２２には、それぞれ測定機器２０１、２１１、２２１が設置されており、測定機器２０１、２１１、２２１は、それぞれ光スイッチ２０１ａ、２１１ａ、２２１ａ及びＯＴＤＲ２０１ｂ、２１１ｂ、２２１ｂを備えて構成されている。また、測定機器２０１、２１１、２２１は、光伝送路管理システム１０と通信可能に構成されている。
【００２８】
光伝送路３０、３１、３２、３３と測定機器２０１、２１１、２２１の詳細については、図２を用いて説明する。図２は、光伝送路３０、３１、３２、３３及び測定機器２０１、２１１、２２１の相互関係を示した図である。光伝送路３０は、光ファイバ３０１、３０２、３０３、３０４、３０５、３０６を含んで構成される。光伝送路３１、３２、３３もそれぞれ同様に、光ファイバ３１１、３１２、３１３、３１４、３１５、３１６、光ファイバ３２１、３２２、３２３、３２４、３２５、３２６、光ファイバ３３１、３３２、３３３、３３４、３３５、３３６を含んで構成される。光ファイバ３０１、３１１、３２１、３３１は互いに接続されていて一連の光伝送路を形成している。同様に、他の対応する光ファイバもそれぞれ互いに接続されている。
【００２９】
測定機器２０１を構成する光スイッチ２０１ａは、光伝送路３０を構成する光ファイバ３０１〜３０６のそれぞれに対して、また、光伝送路３１を構成する光ファイバ３１１〜３１６のそれぞれに対して、選択的に試験光を挿入できるように構成されている。具体的には、光スイッチ２０１ａは１２系統の入出力系統を有しており、それぞれの入出力系統が光ファイバ３０１〜３０６及び光ファイバ３１１〜３１６のそれぞれに光カプラといった手段によって結合されている。このような構成を採ることにより、例えば、光ファイバ３１１に対して、試験機器２１１の方向に向かって試験光を入力し、その入力した試験光に応じた後方散乱光を受光できる。
【００３０】
ＯＴＤＲ２０１ｂは、光スイッチ２０１ａが光ファイバ３０１〜３０６及び光ファイバ３１１〜３１６に挿入する試験光を供給する部分である。また、ＯＴＤＲ２０１ｂは、光スイッチ２０１ａが受光する後方散乱光に基づいて、各光ファイバの損失や反射減衰量を測定する部分である。また、ＯＴＤＲ２０１ｂは光伝送路管理システム１０と接続されており、光伝送路管理システム１０から送信される測定指示情報に基づいて試験光を出力する部分である。
【００３１】
測定機器２１１を構成する光スイッチ２１１ａ及びＯＴＤＲ２１１ｂ、測定機器２２１を構成する光スイッチ２２１ａ及びＯＴＤＲ２２１ｂの構成は、測定機器２０１を構成する光スイッチ２０１ａ及びＯＴＤＲ２０１ｂの構成と同様である。
【００３２】
引き続いて、光伝送路管理システム１０について説明する。光伝送路管理システム１０は、物理的には、ＣＰＵ（中央処理装置）、メモリ、マウスやキーボードといった入力装置、ディスプレイといった表示装置、ハードディスクといった格納装置などを備えたコンピュータシステム（例えばワークステーション、パーソナルコンピュータ）として構成されている。
【００３３】
光伝送路管理システム１０は機能的な構成要素として、図１に示すように、測定指示送信部（測定指示送信手段）１０１と、測定結果受信部（測定結果受信手段）１０２と、障害判断部（障害判断手段）１０３と、を備えて構成される。以下、各構成要素について詳細に説明する。
【００３４】
測定指示送信部１０１は、測定機器２０１に対しては、光伝送路３０の半分の長さに対応した条件の試験光を光伝送路３０を構成するそれぞれの光ファイバ３０１〜３０６に対して、光伝送路３１の半分の長さ（第１の区間の長さ）に対応した条件の試験光を光伝送路３１を構成する光ファイバ３１１〜３１６に対して、それぞれ挿入して測定するように測定指示を送信する。
【００３５】
また、測定指示送信部１０１は、測定機器２１１に対しては、光伝送路３１の半分の長さ（第２の区間の長さ）に対応した条件の試験光を光伝送路３１を構成するそれぞれの光ファイバ３１１〜３１６に対して、光伝送路３２の半分の長さ（第３の区間の長さ）に対応した条件の試験光を光伝送路３２を構成するそれぞれの光ファイバ３２１〜３２６に対して、それぞれ挿入して測定するように測定指示を送信する。同様に、測定指示送信部１０１は、測定機器２２１に対しては、光伝送路３２の半分の長さ（第４の区間の長さ）に対応した条件の試験光を光伝送路３２を構成するそれぞれの光ファイバ３２１〜３２６に対して、光伝送路３３の半分の長さに対応した条件の試験光を光伝送路３３を構成するそれぞれの光ファイバ３３１〜３３６に対して、それぞれ挿入して測定するように測定指示を送信する。
【００３６】
また、測定指示送信部１０１は、例えば、測定機器２０１が、光伝送路３１の光ファイバ３１１に試験光を挿入している場合には、測定機器２１１に対し、光伝送路３１の光ファイバ３１１に試験光を挿入しないように測定指示を送信する。この場合、測定機器２１１に対しては、例えば、光伝送路３１の光ファイバ３１２〜３１６のいずれかに試験光を挿入するように測定指示を送信するようにしてもよい。この場合の別な態様としては、測定機器２１１に対して、光伝送路３２の光ファイバ３２１〜３２６のいずれかに試験光を挿入するように測定指示を送信する態様がある。より好ましい態様は、測定機器２１１に対して、光ファイバ３２１に試験光を挿入するように測定指示を挿入する態様である。光ファイバ３１１及び光ファイバ３２１は接続されて一連の光伝送路を構成しているので、光ファイバ３１１及び光ファイバ３２１が対応する芯線の障害発生有無を特定でき、光伝送路全体の障害把握効率が上がるためである。
【００３７】
更に別の態様としては、測定機器２０１〜２２１に対して送信される測定指示には予め優先順位が定められているものがある。測定指示送信部１０１は、例えば、測定機器２０１に対して優先順位の低い測定指示を送信し、測定機器２０１がその測定指示に基づいて光伝送路３１の測定を行っている場合に、測定機器２１１に対して優先順位の高い測定指示を送信する場合には、測定機器２１１の測定を優先するように測定機器２１１に指示信号を送信する。この場合、測定機器２０１と測定機器２１１とが同じ光ファイバ３１１を測定する場合に、測定機器２０１の測定を中断するようにしてもよい。
【００３８】
測定結果受信部１０２は、測定指示送信部１０１が送信した測定指示に基づいて、測定機器２０１〜２２１が測定した後方散乱光に基づくデータを受信する部分である。測定結果受信部１０２は受信したデータを障害判断部１０３に出力する。
【００３９】
障害判断部１０３は、測定結果受信部１０２が受信したデータに基づいて、光伝送路３０〜３３に障害が発生しているか否かを判断する部分である。より具体的には、後方散乱光に基づくデータを用いて光伝送路３０〜３３の損失や反射減衰量を求めるといったデータ解析を行って、障害の発生有無を判断する。
【００４０】
次に、光伝送路管理システム１０を用いて光伝送路３０〜３３の障害発生有無を判断する第１の方法について図３を用いて説明する。図３は、光伝送路管理システム１０を用いて障害発生有無を判断する第１の方法を示したフローチャートである。
【００４１】
光伝送路管理システム１０の測定指示送信部１０１は、測定機器２０１に対して、光伝送路３１を構成する光ファイバ３１１〜３１６に試験光を挿入して後方散乱光を測定するように測定指示を送信する（ステップＳ０１）。測定指示送信部１０１が測定機器２０１に測定指示を送信すると、測定結果受信部１０２は測定機器２０１から測定結果を受信する待ち受け状態になる（ステップＳ０２）。
【００４２】
測定結果受信部１０２が測定機器２０１から測定結果を受信すると、測定指示送信部１０１は、測定機器２１１に対して、光伝送路３１を構成する光ファイバ３１１〜３１６に試験光を挿入して後方散乱光を測定するように測定指示を送信する（ステップＳ０３）。測定指示送信部１０１が測定機器２１１に測定指示を送信すると、測定結果受信部１０２は測定機器２１１から測定結果を受信する待ち受け状態になる（ステップＳ０４）。
【００４３】
測定結果受信部１０２は、測定機器２０１及び測定機器２１１から測定結果を受信すると、その受信した測定結果を障害判断部１０３に出力する。障害判断部１０３は、その受け取った測定結果に基づいて光伝送路３１を構成する光ファイバ３１１〜３１６に障害が発生してるか否かを判断する（ステップＳ０５）。
【００４４】
ステップＳ０１〜ステップＳ０５で説明したような手順で光伝送路３１を測定すれば、光伝送路３１を構成する各光ファイバ３１１〜３１６の両端から同時に試験光が挿入されることがないので、測定精度が向上する。
【００４５】
次に、光伝送路管理システム１０を用いて光伝送路３０〜３３の障害発生有無を判断する第２の方法について図４を用いて説明する。図４は、光伝送路管理システム１０を用いて障害発生有無を判断する第２の方法を示したフローチャートである。
【００４６】
光伝送路管理システム１０の測定指示送信部１０１は、測定機器２０１に対して、光伝送路３１を構成する光ファイバ３１１〜３１６に順番に試験光を挿入して後方散乱光を測定するように測定指示を送信する（ステップＳ１１）。ここでは、光ファイバ３１１から光ファイバ３１６に向かって順番に測定するものとする。測定指示送信部１０１が測定機器２０１に測定指示を送信すると、測定結果受信部１０２は測定機器２０１から光ファイバ３１１〜３１６の測定結果を順番に受信する待ち受け状態になる（ステップＳ１２）。
【００４７】
測定結果受信部１０２が測定機器２０１から光ファイバ３１１〜３１６の測定結果を受信すると、測定結果受信部１０２は測定結果を出力する測定機器が測定機器２０１であるかどうかを判別する（ステップＳ１３）。このようにするのは、複数本の光ファイバが付設されている場合に、それぞれの光ファイバ毎の両側からの試験の終了と同時に障害発生有無を判断するためである。
【００４８】
ステップＳ１３において、測定結果を出力する測定機器が測定機器２０１であれば、測定指示送信部１０１は、測定機器２１１に対して、光伝送路３１を構成する光ファイバ３１１〜３１６の内、測定結果を受信した光ファイバに対して試験光を挿入して後方散乱光を測定するように測定指示を送信する（ステップＳ１４）。具体的には、測定結果受信部１０２が光ファイバ３１１の測定結果を受信すれば、測定指示送信部１０１は測定機器２１１に対して光ファイバ３１１に試験光を挿入するように測定指示を送信する。
【００４９】
ステップＳ１３において、測定結果を出力する測定機器が測定機器２０１でなければ、測定結果受信部１０２は、測定機器２０１及び測定機器２１１から受信した測定結果を障害判断部１０３に出力する。障害判断部１０３は、その受け取った測定結果に基づいて光伝送路３１を構成する光ファイバ３１１〜３１６に障害が発生してるか否かを判断する（ステップＳ１５）。
【００５０】
ステップＳ１４の処理若しくはステップＳ１５の処理が終了すると、測定結果受信部１０２は、全ての光ファイバの測定結果を受信しているかどうかを判断し、受信していなければステップＳ１２の処理に移行し、受信していれば処理を終了する（ステップＳ１６）。
【００５１】
ステップＳ１１〜ステップＳ１６で説明したような手順で光伝送路３１を測定すれば、光伝送路３１を構成する各光ファイバ３１１〜３１６の両端から同時に試験光が挿入されることがないので、測定精度が向上する。また、測定機器２０１が測定を終了した光ファイバに対して、測定機器２１１は順次試験光を挿入して測定することができるので、障害判断部１０３は受信した順番に障害の有無を判断できる。
【００５２】
次に、光伝送路管理システム１０を用いて光伝送路３０〜３３の障害発生有無を判断する第３の方法について図５を用いて説明する。図５は、光伝送路管理システム１０を用いて障害発生有無を判断する第３の方法を示したフローチャートである。
【００５３】
光伝送路管理システム１０の測定指示送信部１０１は、測定機器２１１が測定する光ファイバを特定する（ステップＳ２１）。例えば、光伝送路３１を構成する光ファイバの内、光ファイバ３１１を測定する光ファイバとして特定する。測定指示送信部１０１は、光ファイバ３１１に対して測定機器２０１が試験光を挿入していないかどうかを確認する（ステップＳ２２）。光ファイバ３１１に試験光が挿入されていなければ、測定指示送信部１０１は光ファイバ３１１を測定する光ファイバとして特定し、測定機器２１１に対して光ファイバ３１１を測定するように測定指示を送信する（ステップＳ２６）。
【００５４】
一方、光ファイバ３１１に試験光が挿入されていれば、測定指示送信部１０１は光ファイバ３１１に接続されている光ファイバ３２１を測定する光ファイバとして仮に特定し、光ファイバ３２１に試験光が挿入されていないかどうかを確認する（ステップＳ２３）。光ファイバ３２１に試験光が挿入されていなければ、測定指示送信部１０１は光ファイバ３２１を測定する光ファイバとして特定する（ステップＳ２５）。測定指示送信部１０１は、測定機器２１１に対して光ファイバ３２１を測定するように測定指示を送信する（ステップＳ２６）。
【００５５】
一方、光ファイバ３２１に試験光が挿入されていれば、測定指示送信部１０１は更に別の光ファイバ３１２を測定する光ファイバとして仮に特定し、ステップＳ２２に戻って処理を継続する（ステップＳ２４）。
【００５６】
測定結果受信部１０２は、測定機器２１１から測定結果を受信すると障害判断部１０３に出力し、障害判断部１０３が障害発生の有無を判断する（ステップＳ２７）。
【００５７】
ステップＳ２１〜ステップＳ２７で説明したような手順で光伝送路３１及び光伝送路３２を測定すれば、光伝送路３１を構成する各光ファイバ３１１〜３１６の両端から同時に試験光が挿入されることがないことに加えて、光伝送路３２を構成する各光ファイバ３２１〜３２６を同時に測定できるので、測定精度の向上と測定効率の向上が両立する。
【００５８】
次に、光伝送路管理システム１０を用いて光伝送路３０〜３３の障害発生有無を判断する第４の方法について図６を用いて説明する。図６は、光伝送路管理システム１０を用いて障害発生有無を判断する第４の方法を示したフローチャートである。
【００５９】
光伝送路管理システム１０の測定指示送信部１０１は、測定機器２１１が測定する光ファイバを特定する（ステップＳ３１）。例えば、光伝送路３１を構成する光ファイバの内、光ファイバ３１１を測定する光ファイバとして特定する。測定指示送信部１０１は、光ファイバ３１１に対して測定機器２０１が試験光を挿入していないかどうかを確認する（ステップＳ３２）。光ファイバ３１１に試験光が挿入されていなければ、測定指示送信部１０１は光ファイバ３１１を測定する光ファイバとして特定し、測定機器２１１に対して光ファイバ３１１を測定するように測定指示を送信する（ステップＳ３６）。
【００６０】
一方、光ファイバ３１１に試験光が挿入されていれば、測定指示送信部１０１は、測定機器２１１に送信する測定指示の優先順位が高いかどうかを判断する（ステップＳ３３）。測定機器２１１に送信する測定指示の優先順位が高ければ、他の優先順位の低い測定を中断する（ステップＳ３５）。優先順位の低い測定を中断した後に、ステップＳ３６の処理を行う。一方、測定機器２１１に送信する測定指示の優先順位が低ければ、測定指示送信部１０１は更に別の光ファイバ３１２を測定する光ファイバとして仮に特定し、ステップＳ３２に戻って処理を継続する（ステップＳ３４）。
【００６１】
測定結果受信部１０２は、測定機器２１１から測定結果を受信すると障害判断部１０３に出力し、障害判断部１０３が障害発生の有無を判断する（ステップＳ３７）。
【００６２】
ステップＳ３１〜ステップＳ３７で説明したような手順で光伝送路３１及び光伝送路３２を測定すれば、光伝送路３１を構成する各光ファイバ３１１〜３１６の両端から同時に試験光が挿入されることがないことに加えて、優先順位の高い測定を先に完了できるので、測定精度の向上と測定効率の向上が両立する。
【００６３】
次にコンピュータを、本発明の実施形態である光伝送路管理システム１０として機能させるための光伝送路管理プログラム９２及びそれが記録されているコンピュータ読取可能な記録媒体９について説明する。図７は、光伝送路管理プログラム９２が記録されている記録媒体９の構成を示した図である。記録媒体９としては、例えば、磁気ディスク、光ディスク、ＣＤ−ＲＯＭ、コンピュータに内蔵されたメモリなどが該当する。
【００６４】
記録媒体９は、図７に示すように、プログラムを記録するプログラム領域９１を備えている。プログラム領域９１には、光伝送路管理プログラム９２が記録されている。光伝送路管理プログラム９２は、処理を統括するメインモジュール９２１と、測定指示送信モジュール９２２と、測定結果受信モジュール９２３と、障害判断モジュール９２４とを備える。ここで、測定指示送信モジュール９２２、測定結果受信モジュール９２３、障害判断モジュール９２４のそれぞれを動作させることによって実現する機能は、上記光伝送路管理システム１０の測定指示送信部１０１、測定結果受信部１０２、障害判断部１０３のそれぞれの機能と同様である。
【００６５】
【発明の効果】
本発明によれば、光伝送路を２つの区間に区分したそれぞれの長さに対応した条件の試験光を挿入して測定するように測定指示を送信するので、測定指示を受信する測定機器は、光伝送路のそれぞれの区間の長さに対応した条件の試験光を挿入し、当該光伝送路の状態を測定できる。この測定指示に基づいて測定された光伝送路の後方散乱光に基づくデータを受信し、当該受信したデータに基づいて光伝送路に障害が発生しているか否かを判断するので、光伝送路のそれぞれの区間の長さに対応した条件で当該光伝送路に障害が発生しているか否かを判断できる。光伝送路のそれぞれの区間の長さに対応した条件で、光伝送路の後方散乱光を測定し、当該測定された後方散乱光に基づくデータを用いて光伝送路に障害が発生しているか否かを判断できるので、例えば、光伝送路の全長に対応した条件で測定する場合と比較して空間分解能及びサンプリング分解能の低下を極力回避できる。従って本発明の目的とする、光伝送路の障害を計測する場合に、空間分解能及びサンプリング分解能の低下といった計測の精度を低下させる要因を極力排除することのできる、光伝送路管理システム、光伝送路管理方法、光伝送路管理プログラムを提供することができた。
【図面の簡単な説明】
【図１】本発明の実施形態である光伝送路管理システムを説明する図である。
【図２】図１の測定機器と光伝送路とを説明する図である。
【図３】本発明の実施形態である光伝送路管理システムを用いて光伝送路を管理する方法を示すフローチャートである。
【図４】本発明の実施形態である光伝送路管理システムを用いて光伝送路を管理する方法を示すフローチャートである。
【図５】本発明の実施形態である光伝送路管理システムを用いて光伝送路を管理する方法を示すフローチャートである。
【図６】本発明の実施形態である光伝送路管理システムを用いて光伝送路を管理する方法を示すフローチャートである。
【図７】本発明の実施形態である光伝送路管理プログラムを説明する図である。
【符号の説明】
１０…光伝送路管理システム、１０１…測定指示送信部、１０２…測定結果受信部、１０３…障害判断部、２０、２１、２２…試験局、２０１、２１１、２２１…測定機器、２０１ａ、２１１ａ、２２１ａ…光スイッチ、２０１ｂ、２１１ｂ、２２１ｂ…ＯＴＤＲ、３０、３１、３２、３３…光伝送路。
【図１】
0003702832.tif 000002
【図２】
0003702832.tif 000003
【図３】
0003702832.tif 000004
【図４】
0003702832.tif 000005
【図５】
0003702832.tif 000006
【図６】
0003702832.tif 000007
【図７】
0003702832.tif 000008